(57)【要約】      （修正有）【課題】キャップ付きネーム印を差し込んで保持するネーム印ホルダーで、ネーム印ホルダーにつないだストラップを使用者の身辺に接続したまま携帯し、紙面に押し印の出来るネーム印ホルダーを提供する。【解決手段】インキ含侵構成で成る朱肉付け不要のネーム印Ａ握り部に差し込み装着するネーム印ホルダーＢに於いて、合成樹脂製の底部１付き筒状本体２の開口部３を起点に底部１に向けてＴ字形状のスリット４を設け、前記底部１に孔５付き突起部６を設けた構成にする。【選択図】図１
0003197010.tif 000002
【実用新案登録請求の範囲】
【請求項１】
インキ含侵で成るネーム印（Ａ）に使うネーム印ホルダー（Ｂ）に於いて、該ネーム印ホルダーの底部（１）付き筒状本体（２）の開口部（３）よりＴ字形状のスリット（４）を設け、前記底部に孔（５）付きの突起部（６）を設けたことを特徴とする、ネーム印ホルダー。
【請求項２】
前記する底部を筒状本体から切り離した筒状本体（２０）にし、丁番（２０１）と止め部（２０２）にて、開閉自在の底部（１０）にするか、或いは、前記する開閉自在の底部を着脱自在の底部（１００）にしたことを特徴とする請求項１記載の、ネーム印ホルダー。
【請求項３】
前記する筒状本体にクリップ体（７）を具備したことを特徴とする請求項１又は２項記載の、ネーム印ホルダー。
【考案の詳細な説明】
【技術分野】
【０００１】  この考案は、個別に用意する朱肉を使わず、ハンコの印面に刻み込んだネーム自体の素材に滲み込ませた朱色のインキで紙面に押し印することの出来るネーム印（印鑑）に差込自在可能にした、ネーム印ホルダーに関する。
【背景技術】
【０００２】  この種の従来の技術として、〔図４〕で示すに、シャチハタ（株）の印鑑分野での登録商標で「ネーム９」及び「Ｘスタンバー」で知られる登録商標がある。これらのネーム印は個別に用意した朱肉を印面に付着することなく、朱色のインキ液が印面の素材に滲みこまれた構成で朱肉を使わずに、紙面にネームを押し印の出来るネーム印本体に装着自在なネーム印ホルダーＢＢで、このネーム印ホルダーは弾力性のゴム材で筒状本体２１の開口部３０にネーム印の握り部が着脱自在に差し込まれる。そして、当該筒状本体の開口部に対向する底部にストラップを付ける為のリング体が筒状本体に一体化のネーム印ホルダーが最も近い技術として知られる。【０００３】
【考案の開示】
【考案が解決しようとする課題】
【０００４】  しかしながら、上述するネーム印ホルダーは、必要に応じ紙面に押し印するのにカラナビやネックストラップなどに吊るされたネーム印ホルダーにネーム印を抜き取ってからネーム印のキャップを外してネーム印の目印部に指を当てるなどして位置決めの後に押し印し、押し印後は再度ネーム印ホルダーに収納しなければならないというわずらわしさが課題になる。【０００５】  更に、ネーム印ホルダーの材質はネーム印をホールドする為、伸縮性の軟質ゴム材加工のため、ネーム印をネーム印ホルダーから引き抜いて使うため、ゴム質のリング体が伸びるなどで、リング体が切れるなどの支障をきたすなどの課題が残る。【０００６】  そしてまた、これらのネーム印をネーム印ホルダーから抜き取らずにストラップを身体の一部或いは物品に取り付けたままで素早くストラップを紙面まで伸ばすなどで、押し印の出来るいわば業務上訪問先でストラップに接続されたままのネーム印ホルダーを伸ばして使い紙面に押し印の出来るネーム印ホルダーがもとより望まれていた。
【課題を解決するための手段】
【０００７】  この考案は、かかる課題を解決するために、請求項１での考案は、図１での全体を示し使用例を兼ねての斜視図で述べるに、インキ含侵構成で成る個別の朱肉を付けずに押し印の出来るネーム印（印鑑）Ａの握り部に差し込み装着して使うネーム印ホルダーＢに於いて、当該ネーム印ホルダーを合成樹脂製の底部１付き筒状本体２の開口部３を起点に底部に向けてＴ字形状のスリット４を設け、前記底部に伸び縮みのする伸縮コードＣに接続するリング５０１を付ける孔５付きの突起部６を設けた構成とする。これらのネーム印ホルダーにセットされたネーム印は前記リング５０１に伸縮コードＣが接続され、その片方の端部は使用者側の腰周りに着脱自在でなる止めクリップ等を使い携帯用として身に付けて使用される構成である。【０００８】  次に、請求項２での考案を図２中（ａ）図と（ｂ）図で全体を示しての斜視図で述べるに、前記する底部を筒状本体から切り離した筒状本体２０にし、丁番２０１と止め部２０２にて、開閉自在の底部１００にした構成で、該ネーム印ホルダーにはネーム印の印面Ａ２を底部に向け差込使用の出来る考案で、キャップＡ１を使うことなく、押し印操作は底部を開放し、（開く或いは外しだす）筒状本体の開口部に露出する印面で紙面に押し印をすることの出来る構成である。前記での書面に押し印する際に、ネーム印が差し込まれたネーム印ホルダーを摘んで押し印するのに、前記する筒状本体の開口部に弾性を与える為に切り込んだＴ字形状のスリットに、差し込まれたネーム印の握り部に付けた目印部Ａ３とが整合させて差し込むことで、ネーム印の紙面の押し印座標を正確に操作出来る構成である。【０００９】  次に、請求項３での考案を図３での全体を示しての斜視図で述べるに、前記する筒状本体の底部近辺を起点にし、開口部に向けてクリップ体７を付け加えた構成である。
【考案の効果】
【００１０】  本考案は上述の通り構成作用するので、次の優れた効果を奏する。
第一実施例においては、ネーム印の目印部をネーム印ホルダーのスリットにあわせて差し込むことで、スリットを目安に指を当てネーム印ホルダーを摘んだまま引っ張ってネーム印のキャップをはずすだけの操作で、紙面に押し印が出来、キャップをはめるだけで、ネーム印をもとの所に伸縮コードが戻してくれるネーム印コードを提供出来る。又第二実施例においてはネーム印からキャップを取り外した状態で印面を底部に向けて差し込んだまま携帯することが出来、使用時に摘んで取り出したネーム印ホルダーの伸縮コードを伸ばしたまま底部を開く操作のみで、即座に紙面に押し印が出来、また底部を切り離すことの構成では、伸縮コードの付いていないネーム印ホルダーを使い紙面に押し印が出来る。また、第三実施例においてはクリップを使うことでネーム印ホルダーを定位置に保持出来このように、ネーム印をネーム印ホルダーに差したまま押し印が出来る特徴がある。
【考案を実施するための最良な形態】
【００１１】  以下に図示の実施例に基づいて本考案を更に詳細に説明する。即ち、図１は本考案での第一実施例の全体を示し併せて使用例を含んての斜視図である。市販されるネーム印Ａは個別に用意する朱肉を使わずに、印面Ａ２に被せる着脱自在でなるキャップＡ１をはずして、即座に紙面に押し印が出来るネーム印で、筒状の握り部にはネーム印の押し印座標を正確に位置決めする為の目印部Ａ３が設けられている。該目印部に指先を当てることでネームの頭部である正確な押し印座標を暗示させてくれることで、紙面に二度押しの無い正確な座標で一回押しで押し印する事が出来る構成である。
【００１２】  本考案は、前記するネーム印の握り部に差込自在に装着して使うネーム印ホルダーＢにおいて、該ネーム印ホルダーを合成樹脂の底部１付き筒状本体２にその開口部３を起点に底部に向けてＴ字形状のスリット４はネーム印の握り部に程よいかたさで差し込み保持の出来るクッション性を作ることが出来る構成とする。
【００１３】  そして、前記する筒状本体の底部には孔５の開いた突起部６を設け、この孔にはリング５０１が接続されて伸び縮みするゴム質の伸縮コードＣに接続され、その端子部は使用者側の腰周り等に固定されて、ネーム印ホルダーに差し込まれたネーム印が携帯して使われる。これらの身辺に固定して携帯するネーム印はズボンのポケットなどに収納し、必要に応じ、収納されたネーム印ホルダーを摘んで引き伸ばしてネーム印の印面Ａ２に被せられたキャップＡ１を外すだけの操作で、紙面に押し印をすることが出来る構成である。
【００１４】  この使い方は従来の身辺やあるいは携帯物につないだストラップにつながれているネーム印ホルダーからネーム印を抜き取って個別にネーム印単体を握って紙面に押し印するなどの使い方の煩わしさを解決出来る構成である。即ち、業務上外歩きで個別訪問で頻繁にネーム印を紙面に押し印しなければならない仕事に携わる外交員に最適なネーム印ホルダーとして利用される。
【００１５】  次に、図２での図中（ａ）図と（ｂ）図は、本考案での第二実施例での全体を示しての斜視図で、前記する（ａ）図で示すように、底部を筒状本体から切り離した筒状本体２０にし、丁番２０１と止め部２０２を双方に具備し、開閉自在の底部１０にすることで、ネーム印の印面を底部に向け差込、使用時にネーム印コードを摘んで引き伸ばした伸縮コードに接続する底部を開成することで、ネーム印の印面を露出させて即座に紙面の押し印を可能にした構成とする。更に、前記する伸縮コードに接続してなる底部１００を着脱の出来る構成すなわち、丁番と止め部の双方を排除した構成で、筒状本体の開口部に整合してやや固めにはめ込みを自在な構成で、開閉自在の構成にし、伸縮コードを切り離してネーム印ホルダーのネーム印で紙面に押し印の出来る構成とする。
【００１６】  次に図３は第三実施例での全体を示しての斜視図で、筒状本体の底部近辺を起点にして開口部に向けてクリップ体７を具備しての構成で、ネーム印ホルダーの定位置を固定して保持のできる構成である。
【図面の簡単な説明】
【００１７】
【図１】  本考案に係わる第一実施例での全体と使用例を示しての斜視図である。
【図２】  図中（ａ）図と（ｂ）図は本考案に係わる第二実施例での全体を示してのそれぞれの斜視図である。
【図３】  本考案に係わる第三実施例での全体を示しての斜視図である。
【図４】  従来技術での全体を示しての斜視図である。
【符号の説明】
【００１８】Ａ          ネーム印
Ａ１        キャップ
Ａ２        印面
Ａ３        目印部
Ｂ、ＢＢ    ネーム印ホルダー
ＢＢ１      リング体
Ｃ          伸縮コード
Ｄ          ストラップ
１、１０、１００    底部
２、２１、２０、２００    筒状本体
２０１      丁番
２０２      止め部
３、３０    開口部
４          スリット
５          孔
５０１      リング
６          突起部
７          クリップ体
【図１】
0003197010.tif 000003
【図２】
0003197010.tif 000004
【図３】
0003197010.tif 000005
【図４】
0003197010.tif 000006